(57)【要約】【課題】本発明は、画像データ等のデータ送信操作の便宜性を向上させたスキャナ装置、ファクシミリ装置、複合装置、コンピュータ等のデータ送信装置、データ送信制御方法、データ送信制御プログラム及び記録媒体に関する。【解決手段】複合装置ＭＦは、宛先毎に少なくとも該宛先への複数の送信条件の組み合わせを取得して、取得した該送信条件の組み合わせ毎の送信回数を宛先毎に分類して送信履歴情報として送信履歴保存部１１に保管し、データ送信に際して送信宛先が決定されると、送信履歴保存部１１の該宛先の送信履歴情報から該送信回数を優先させた送信条件の組み合わせを所定数選択して、選択した送信条件組み合わせを操作表示部１０のディスプレイに表示して提示する。したがって、送信条件の設定操作を省力化することができる。【選択図】          図１
2010011007.tif 000002
【特許請求の範囲】
【請求項１】
宛先毎に少なくとも該宛先への複数の送信条件の組み合わせを送信履歴として取得する送信履歴取得手段と、送信履歴取得手段の取得した該送信条件の組み合わせ毎の送信回数を宛先毎に分類して送信履歴情報として記録する送信履歴保管手段と、データ送信に際して送信宛先が決定されると、該送信履歴保管手段の該宛先の送信履歴情報から該送信回数を優先させた送信条件の組み合わせを所定数選択する送信条件選択手段と、該送信条件選択手段の選択した送信条件組み合わせを提示する提示手段と、を備えていることを特徴とするデータ送信装置。
【請求項２】
前記データ送信装置は、前記送信条件選択手段による前記送信条件の組み合わせの選択において優先させる送信条件を指定する優先送信条件指定手段を備え、前記送信条件選択手段は、該優先送信条件指定手段で指定された送信条件と前記送信回数を優先させて前記送信条件の組み合わせを選択することを特徴とする請求項１記載のデータ送信装置。
【請求項３】
前記データ送信装置は、前記送信条件選択手段による前記送信条件の組み合わせの選択において除外させる送信条件を指定する除外送信条件指定手段を備え、前記送信条件選択手段は、該除外送信条件指定手段で指定された送信条件を除外して前記送信条件の組み合わせを選択することを特徴とする請求項１または請求項２記載のデータ送信装置。
【請求項４】
前記データ送信装置は、前記送信履歴保管手段の送信履歴情報のうち、複数の宛先に同じデータを送信する同報送信における該複数の宛先の送信履歴情報を総合させて総合送信履歴情報を生成する総合手段を備え、前記送信条件選択手段は、該総合手段の生成した総合送信履歴情報から前記送信条件の組み合わせを選択することを特徴とする請求項１から請求項３のいずれかに記載のデータ送信装置。
【請求項５】
前記データ送信装置は、送信履歴情報を送信履歴保管手段に保管する他のデータ送信装置と所定の回線で接続されており、該回線を介して該他のデータ送信装置の該送信履歴保管手段から該送信履歴情報を取得する他送信履歴情報取得手段と、該他送信履歴情報取得手段の取得した該送信履歴情報を前記送信履歴保管手段の前記送信履歴情報と統合して統合送信履歴情報を生成する統合手段と、を備え、前記送信条件選択手段は、該統合手段の生成した統合送信履歴情報から前記送信条件の組み合わせを選択することを特徴とする請求項１から請求項４のいずれかに記載のデータ送信装置。
【請求項６】
前記データ送信装置は、前記送信履歴保管手段の前記送信履歴情報を外部記憶手段に書き出す外部出力手段と、送信履歴情報の記録されている外部記憶手段から該送信履歴情報を読み込む読み込み手段と、該読み込み手段の読み込んだ該送信履歴情報と該送信履歴保管手段に保管されている該送信履歴情報とを統合して統合送信履歴情報を生成する統合手段と、を備え、前記送信条件選択手段は、該統合手段の生成した統合送信履歴情報から前記送信条件の組み合わせを選択することを特徴とする請求項１から請求項５のいずれかに記載のデータ送信装置。
【請求項７】
前記統合手段は、前記他送信履歴情報取得手段の取得した前記送信履歴情報または前記読み込み手段の読み込んだ前記送信履歴情報に、自装置の備えていない機能の設定を送信条件に含んでいると、該送信条件を除外した送信条件のみを組み合わせた送信条件の組み合わせからなる前記統合送信履歴情報を生成することを特徴とする請求項５または請求項６記載のデータ送信装置。
【請求項８】
前記統合手段は、前記他送信履歴情報取得手段の取得した前記送信履歴情報または前記読み込み手段の読み込んだ前記送信履歴情報に、自装置の備えていない機能の設定を送信条件に含んでいると、その旨を所定の報知手段から報知出力することを特徴とする請求項７記載のデータ送信装置。
【請求項９】
宛先毎に少なくとも該宛先への複数の送信条件の組み合わせを送信履歴として取得する送信履歴取得処理ステップと、送信履歴取得処理ステップで取得された該送信条件の組み合わせ毎の送信回数を宛先毎に分類して送信履歴情報として送信履歴保管手段に保管する送信履歴保管処理ステップと、データ送信に際して送信宛先が決定されると、該送信履歴保管手段の該宛先の送信履歴情報から該送信回数を優先させた送信条件の組み合わせを所定数選択する送信条件選択処理ステップと、該送信条件選択処理ステップで選択された送信条件組み合わせを提示する提示処理ステップと、を有していることを特徴とするデータ送信制御方法。
【請求項１０】
前記データ送信制御方法は、前記送信条件選択処理ステップでの前記送信条件の組み合わせの選択において優先させる送信条件を指定する優先送信条件指定処理ステップを有し、前記送信条件選択処理ステップは、該優先送信条件指定処理ステップで指定された送信条件と前記送信回数を優先させて前記送信条件の組み合わせを選択することを特徴とする請求項９記載のデータ送信制御方法。
【請求項１１】
前記データ送信制御方法は、前記送信条件選択処理ステップによる前記送信条件の組み合わせの選択において除外させる送信条件を指定する除外送信条件指定処理ステップを有し、前記送信条件選択処理ステップは、該除外送信条件指定処理ステップで指定された送信条件を除外して前記送信条件の組み合わせを選択することを特徴とする請求項９または請求項１０記載のデータ送信制御方法。
【請求項１２】
前記データ送信制御方法は、前記送信履歴保管手段の送信履歴情報のうち、複数の宛先に同じデータを送信する同報送信における該複数の宛先の送信履歴情報を総合させて総合送信履歴情報を生成する総合処理ステップを有し、前記送信条件選択処理ステップは、該総合処理ステップの生成した総合送信履歴情報から前記送信条件の組み合わせを選択することを特徴とする請求項９から請求項１１のいずれかに記載のデータ送信制御方法。
【請求項１３】
前記データ送信制御方法は、送信履歴情報を送信履歴保管手段に保管する他のデータ送信装置と通信して、該他のデータ送信装置の送信履歴保管手段から該送信履歴情報を取得する他送信履歴情報取得処理ステップと、該他送信履歴情報取得処理ステップで取得した該送信履歴情報を前記送信履歴保管手段の前記送信履歴情報と統合して統合送信履歴情報を生成する統合処理ステップと、を有し、前記送信条件選択処理ステップは、該統合処理ステップの生成した統合送信履歴情報から前記送信条件の組み合わせを選択することを特徴とする請求項９から請求項１２のいずれかに記載のデータ送信制御方法。
【請求項１４】
前記データ送信制御方法は、前記送信履歴保管手段の前記送信履歴情報を外部記憶手段に書き出す外部出力処理ステップと、送信履歴情報の記録されている外部記憶手段から該送信履歴情報を読み込む読み込み処理ステップと、該読み込み処理ステップの読み込んだ該送信履歴情報と該送信履歴保管手段に保管されている該送信履歴情報とを統合して統合送信履歴情報を生成する統合処理ステップと、を有し、前記送信条件選択処理ステップは、該統合処理ステップの生成した統合送信履歴情報から前記送信条件の組み合わせを選択することを特徴とする請求項９から請求項１３のいずれかに記載のデータ送信制御方法。
【請求項１５】
コンピュータに、宛先毎に少なくとも該宛先への複数の送信条件の組み合わせを送信履歴として取得する送信履歴取得処理と、送信履歴取得処理で取得された該送信条件の組み合わせ毎の送信回数を宛先毎に分類して送信履歴情報として送信履歴保管手段に保管する送信履歴保管処理と、データ送信に際して送信宛先が決定されると、該送信履歴保管手段の該宛先の送信履歴情報から該送信回数を優先させた送信条件の組み合わせを所定数選択する送信条件選択処理と、該送信条件選択処理で選択された送信条件組み合わせを提示する提示処理と、を実行させることを特徴とするデータ送信制御プログラム。
【請求項１６】
前記データ送信制御プログラムは、コンピュータに、前記送信条件選択処理での前記送信条件の組み合わせの選択で優先させる送信条件を指定する優先送信条件指定処理をさらに実行させ、前記送信条件選択処理によって、該優先送信条件指定処理で指定された送信条件と前記送信回数を優先させた前記送信条件の組み合わせを選択させることを特徴とする請求項１５記載のデータ送信制御プログラム。
【請求項１７】
請求項１５または請求項１６記載のデータ送信制御プログラムを記録したことを特徴とするコンピュータが読み取り可能な記録媒体。
【発明の詳細な説明】
【技術分野】
【０００１】
本発明は、データ送信装置、データ送信制御方法、データ送信制御プログラム及び記録媒体に関し、詳細には、画像データ等のデータを送信する際の操作の便宜性を向上させたスキャナ装置、ファクシミリ装置、複合装置、コンピュータ等のデータ送信装置、データ送信制御方法、データ送信制御プログラム及び記録媒体に関する。
【背景技術】
【０００２】
近時、ネットワーク化が進み、スキャナ、複写装置、複合装置、コンピュータ等のデータ送信を行うデータ送信装置がＬＡＮ（Local Area Network）等のネットワークで接続されているとともに、インターネットを通じて他のＬＡＮとの間でも接続され、データの共有やデータの送受信が行われるようになってきている。
【０００３】
このようなデータの送受信においては、特にデータの送信を行う側の装置に取っては、送信側の送りたいデータ送信条件と受信側の処理可能や処理しやすいデータ受信条件等との関係で、送信側装置であるデータ送信装置においては、相手先毎にまたデータ毎に送信条件をいちいち設定して送信することが従来から行われている。
【０００４】
ところが、装置の高機能化等から送信時に設定する送信時設定項目が多様化・複雑化してきており、操作性の向上が要望されている。
【０００５】
そして、従来、ジョブの動作条件を規定する各種設定項目の設定値を組み合わせたジョブパラメータセットとこのジョブパラメータセット毎に実行されたジョブの実行履歴をページサイズに対応させて記憶して、実行対象のページサイズを取得すると、該実行対象のページサイズからジョブパラメータセットを選出する画像処理装置が提案されている（特許文献１参照）。すなわち、この従来技術は、画像処理内容をそのページサイズに基づいて記憶して、処理対象のページサイズを検出すると、記憶している処理内容を読み出してセットすることで、操作性の向上を図っている。
【０００６】
また、従来、電子ファイル毎に過去に行った操作の履歴をパラメータ化するとともに重み付けして履歴情報として記憶し、電子ファイルが選択されると、該電子ファイルの履歴情報を参照して、操作を予測することで、操作性の向上を図った技術が提案されている（特許文献２参照）。
【０００７】
さらに、従来、画像データの送信先が指定されてパラメータ設定され、送信を行う毎に、送信先毎にパラメータ情報を記憶し、画像データの送信に際して、送信先が指定されると該送信先に対して記憶されているパラメータ情報を読み出して設定することで、操作性の向上を図った技術が提案されている（特許文献３参照）。
【０００８】
【特許文献１】特許第４０１９３１９号公報
【特許文献２】特開２００７−１４１１９０号公報
【特許文献３】特許第４０８１９８４号公報
【発明の開示】
【発明が解決しようとする課題】
【０００９】
しかしながら、上記従来技術にあっては、いずれも過去の操作履歴を収集して多い順または重み付けした順に操作対象のファイルの操作として提案するものであり、操作対象の機器自体が複雑化・多様化してきている今日、操作も複数の操作を組み合わせた操作が必要であり、操作性を向上させる上で、改良の必要があった。
【００１０】
そこで、本発明は、データ送信における複数の操作による送信条件を組み合わせた送信条件組み合わせを適宜提案して、操作性を向上させることのできるデータ送信装置、データ送信制御方法、データ送信制御プログラム及び記録媒体。
【課題を解決するための手段】
【００１１】
本発明は、上記目的を達成するために、宛先毎に少なくとも該宛先への複数の送信条件の組み合わせを取得して、取得した該送信条件の組み合わせ毎の送信回数を宛先毎に分類して送信履歴情報として送信履歴保管手段に保管し、データ送信に際して送信宛先が決定されると、該送信履歴保管手段の該宛先の送信履歴情報から該送信回数を優先させた送信条件の組み合わせを所定数選択して、選択した送信条件組み合わせを提示することを特徴としている。
【００１２】
また、本発明は、送信条件の組み合わせの選択において優先させる送信条件が指定されると、該指定された送信条件と送信回数を優先させて前記送信条件の組み合わせを選択することを特徴としてもよい。
【００１３】
さらに、本発明は、送信条件の組み合わせの選択において除外する送信条件が指定されると、該除外指定された送信条件を除外して前記送信条件の組み合わせを選択することを特徴としてもよい。
【００１４】
また、本発明は、送信履歴保管手段の送信履歴情報のうち、同報送信における該複数の宛先の送信履歴情報を総合して総合送信履歴情報を生成し、生成した該総合送信履歴情報から前記送信条件の組み合わせを選択することを特徴としてもよい。
【００１５】
さらに、本発明は、送信履歴情報を送信履歴保管手段に保管する他のデータ送信装置と通信して、該他のデータ送信装置の送信履歴保管手段から該送信履歴情報を取得し、取得した該送信履歴情報を前記送信履歴保管手段の前記送信履歴情報と統合して統合送信履歴情報を生成し、生成した統合送信履歴情報から前記送信条件の組み合わせを選択することを特徴としてもよい。
【００１６】
また、本発明は、前記送信履歴保管手段の前記送信履歴情報を外部記憶手段に書き出す外部出力処理と、送信履歴情報の記録されている外部記憶手段から該送信履歴情報を読み込む読み込み処理と、該読み込み処理で読み込んだ該送信履歴情報と該送信履歴保管手段に保管されている該送信履歴情報とを統合して統合送信履歴情報を生成し、該生成した統合送信履歴情報から前記送信条件の組み合わせを選択することを特徴としてもよい。
【発明の効果】
【００１７】
本発明によれば、宛先毎に少なくとも該宛先への複数の送信条件の組み合わせを取得して、取得した該送信条件の組み合わせ毎の送信回数を宛先毎に分類して送信履歴情報として送信履歴保管手段に保管し、データ送信に際して送信宛先が決定されると、該送信履歴保管手段の該宛先の送信履歴情報から該送信回数を優先させた送信条件の組み合わせを所定数選択して、選択した送信条件組み合わせを提示するので、ユーザの過去のデータ送信条件に適した送信条件をランク付けして提示することができ、送信条件の選択を速やかにかつ容易に行うことができる。
【発明を実施するための最良の形態】
【００１８】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１９】
図１〜図１０は、本発明のデータ送信装置、データ送信制御方法、データ送信制御プログラム及び記録媒体の第１実施例を示す図であり、図１は、本発明のデータ送信装置、データ送信制御方法、データ送信制御プログラム及び記録媒体の第１実施例を適用した複合装置ＭＦの要部ブロック構成図である。
【００２０】
図１において、複合装置ＭＦは、スキャナ部１、プロッタ部２、符号化・復号化部３、システム制御部４、ネットワーク制御部５、認証部６、網制御部７、モデム８、画像蓄積部９、操作表示部１０及び送信履歴保存部１１等を備えており、上記各部は、バス１２によって接続されている。
【００２１】
システム制御部４は、ＣＰＵ（Central Processing Unit ）、ＲＯＭ（Read Only Memory）、ＲＡＭ（Random Access Memory）等を備えたマイクロコンピュータ等が用いられており、ＲＯＭ内のプログラムに基づいて、ＲＡＭをワークメモリとして利用して、複合装置ＭＦの各部を制御して、複合装置ＭＦとしての基本機能を実行するとともに、後述する送信操作を容易なものとするデータ送信制御方法を実現するデータ送信制御処理を実行する。システム制御部４は、送信条件選択手段、送信履歴取得手段として機能する。
【００２２】
すなわち、複合装置ＭＦは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明のデータ送信制御方法を実行するデータ送信制御プログラムを読み込んでシステム制御部４内のＲＯＭや図示しないハードディスク等に導入することで、後述する送信操作の効率を向上させるデータ送信制御方法を実行する複合装置ＭＦとして構築されている。このデータ送信制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２３】
スキャナ部１は、例えば、ＣＣＤ(Charge Coupled Device）を利用したラインイメージセンサ等が用いられており、一般にＡＤＦを備えている。ＡＤＦには、複数枚の原稿がセットされ、ＡＤＦは、セットされた原稿を１枚ずつスキャナ部１の原稿読み取り位置に送給する。スキャナ部１は、ＡＤＦから搬送されてきた原稿を走査し、原稿の画像を所定の解像度で読み取る。
【００２４】
プロッタ部２としては、例えば、サーマル記録装置、電子写真式記録装置、あるいは、インク噴射式記録装置等が用いられており、プロッタ部２は、用紙、記録紙、シート状部材等の記録媒体（以下、単に、用紙という。）に、受信画像（ファクシミリ受信画像、他の複合装置やコンピュータ等からの受信画像等）やスキャナ部１で読み取られた原稿の画像等を記録出力するとともに、必要な各種レポート等を用紙に記録出力する。
【００２５】
符号化・復号化部３は、画像蓄積部９への画像データの蓄積の効率化及び画像データの電送時間の短縮化と効率化を図るため等を目的として、画像データを所定の符号化方式で符号化し、また、受信時には符号化された画像データを元の画像データ形式等に復号化する。
【００２６】
ネットワーク制御部５は、ＬＡＮ（Local Area Network）等のネットワークに接続されており、ネットワークには、他の複合装置、パーソナルコンピュータ、プリンタ等の複数の端末装置が接続されている。ネットワーク制御部５は、システム制御部４の制御下で、ネットワークを介して、他の端末装置との通信を制御する。
【００２７】
認証部６は、複合装置ＭＦを利用する利用者を予め利用許可利用者として登録されている利用者のみに制限するために、複合装置ＭＦを利用しようとする利用者が該利用許可利用者であるか否かを、例えば、操作表示部１０から入力されるＩＤ（（Terminal Identification ）、パスワード等の利用者を特定する利用者特定情報を予め登録されている利用許可利用者の利用者特定情報と比較して複合装置ＭＦの利用の可否を判定する。
【００２８】
網制御部７には、公衆回線網（ＰＳＴＮ）等のファクシミリ通信を行う通信回線が接続されており、網制御部７は、システム制御部４の制御下で動作して、通信回線からの発呼に対して自動着呼し、また、公衆回線網への自動発呼処理を行う。
【００２９】
モデム８は、網制御部７と接続されており、伝送手順信号をやりとりするための低速モデム機能（Ｖ．２１モデム）及び主に画像データをやりとりするための高速モデム機能を備えており、システム制御部１の制御下で動作して、グループ３（Ｇ３）ファクシミリのモデム機能を実現する。
【００３０】
画像蓄積部９は、例えば、ＲＡＭあるいはハードディスク等で構成され、主に符号化・復号化部３で符号化された受信画像データや送信画像データ、ネットワーク制御部５を介して受信した画像データや送信用にファイル形態を変換した画像データ等を複数記憶する。
【００３１】
操作表示部１０は、テンキーやスタートキー等の操作キー及び各種ファンクションキー等を備えるとともに、ディスプレイ、例えば、液晶ディスプレイ等を備えている。操作表示部１０の操作キーからは、複合装置ＭＦの機能を利用するための各種操作、特に、画像データの送信操作等の各種命令が入力され、ディスプレイには、操作キーから入力された命令内容や操作内容及び複合装置ＭＦからオペレータに通知する各種情報、特に、後述するデータ送信制御方法を実現する操作画面を表示する。したがって、システム制御部４及び操作表示部１０は、送信条件組み合わせを提示する提示手段として機能している。
【００３２】
送信履歴保存部（送信履歴保管手段）１１は、例えば、図２に示すように、宛先毎にその送信条件の組み合わせと送信回数を対応させた送信履歴情報を、各ユーザ毎に記憶しており、送信条件としては、本実施例では、図２に示すように、カラー、解像度及びフォーマット形式等を採用している。例えば、図２では、宛先Ａ、宛先Ｂ、・・・毎に分類されているとともに、カラー、解像度、フォーマット形式等の送信条件の組み合わせ毎に、それぞれ送信回数が記録されており、例えば、宛先Ａに対して、カラーモードがグレースケールで、解像度が２００ｄｐｉ、ファイルフォーマット形式がＴＩＦＦ（Tag Image File Format）形式の送信条件の組み合わせで、画像データを、３１回送信、また、フルカラーで、解像度が６００ｄｐｉ、フォーマット形式がＰＤＦ（Portable Document Format）形式という送信条件の組み合わせで、画像データを、５２回送信したこと等が送信履歴情報として記録されている。
【００３３】
次に、本実施例の作用を説明する。本実施例の複合装置ＭＦは、データ送信操作において、操作性を向上させるために、宛先毎の送信条件の組み合わせを各ユーザ毎に記録して、宛先が指定されると、そのユーザの過去の送信履歴情報を参照して、所定の送信条件の組み合わせの行われた送信設定を提供し、送信操作の効率を向上させる。
【００３４】
すなわち、複合装置ＭＦは、図３に示すように、認証部６でユーザ認証が行われた後、操作表示部１０で、データ送信が選択されて、宛先が設定されると（ステップＳ１０１）、システム制御部４は、送信履歴保存部１１に保存されている該ユーザの送信履歴情報を参照し（ステップＳ１０２）、予め設定されている優先パラメータに基づいて該送信履歴情報のランク付けを行って、所定数の送信条件を、操作表示部１０のディスプレイに表示する（ステップＳ１０３）。例えば、図２に示した送信履歴情報において、宛先が、宛先Ａであって、送信回数のみを優先パラメータとした場合、図４に示すように、宛先Ａの送信履歴情報を送信回数のみに基づいてランク付けして、所定数、例えば、図４に示す送信条件の組み合わせのうち上位３つの送信条件組み合わせを操作表示部１０のディスプレイに表示することで提示する。なお、図４では、宛先Ａに対して、５種類の送信条件の組み合わせで送信され、該送信条件の組み合わせうち、回数でランク付けしたものが示されていて、カラーがフルカラー、解像度が２００ｄｐｉ、フォーマット形式がＴＩＦＦの送信条件組み合わせでの送信が最も多く、１０１回過去に送信されていることが示されている。
【００３５】
システム制御部４は、送信条件の表示を行うと、優先パラメータの変更が行われたかチェックし（ステップＳ１０４）、変更が行われると、優先パラメータの変更が操作表示部１０の操作で行われると、該変更後の優先パラメータに基づいて該宛先に関する送信履歴情報をランク付けして、操作表示部１０のディスプレイに再度表示して、優先パラメータの変更の有無をチェックする処理を繰り返し行う（ステップＳ１０４、Ｓ１０５）。例えば、図４で示したランク付けでは、ユーザの意図する送信条件組み合わせが表示されないときには、操作表示部１０で優先パラメータを追加または設定変更が行われ、例えば、解像度が優先パラメータとして追加されると、図５に示すように、解像度と送信回数を優先パラメータとして多い順にランク付けして、上位所定数の送信条件組み合わせを操作表示部１０のディスプレイに表示する。なお、図５では、宛先Ａに対して、図２に示した送信履歴情報を、宛先Ａに対して解像度と送信回数を優先パラメータとしてランク付けしたものであり、宛先Ａに対する送信履歴情報のうち、解像度の設定で過去に一番多く送信されたのが、２００ｄｐｉであるので、２００ｄｐｉの解像度が設定されている送信条件の組み合わせが上位にランク付けされている。また、図５では、２００ｄｐｉが設定されている送信条件の組み合わせが３種類あり、その３種類の送信条件は、送信回数の多いものから上位にランクされている。さらに、図５では、解像度の設定で２００ｄｐｉ以外の解像度設定は、６００ｄｐｉと４００ｄｐｉが示されているが、６００ｄｐｉが５２回、４００ｄｐｉが３回であるので、６００ｄｐｉの設定の送信条件の組み合わせが４００ｄｐｉの送信条件の組み合わせよりも上位にランクされている。
【００３６】
そして、ステップＳ１０４で、優先パラメータの変更が操作されないときには、システム制御部４は、提示した送信条件の組み合わせから操作表示部１０で選択された送信条件の組み合わせを取得して（ステップＳ１０６)、送信条件の組み合わせとしてセットして送信処理を実行する（ステップＳ１０７）。
【００３７】
なお、上記説明では、送信履歴情報としては、全ての送信条件または全ての送信条件の組み合わせを送信履歴保存部１１に残すが、送信条件の組み合わせとして選択する際に利用する送信条件としては、適宜選択設定することができる。
【００３８】
例えば、図６に示すように、送信履歴情報に記録されている送信条件組み合わせのうち、ランク付けに用いる送信条件（含める送信条件）と、送信条件の組み合わせの選択に用いない送信条件（除外する送信条件）と、を設定することができ、特に、除外する送信条件を設定することで、送信条件の組み合わせのランク付けを容易にして、ユーザの意図する送信条件組み合わせを速やかに選択することができる。
【００３９】
例えば、図６では、送信条件として、カラー、解像度及びフォーマット形式があるが、カラーとフォーマット形式は、組み合わせに含めることが設定されており、解像度は、組み合わせから除外されることが設定されている。
【００４０】
そして、図６のランク付け送信条件選択設定で設定されたときの、図２に示した送信履歴情報は、図７に示すように、送信条件の組み合わせがカラーとフォーマット形式のみからなる。したがって、図７から分かるように、いま、図６によって、解像度が送信条件の組み合わせから除外されているので、解像度の設定が異なってもカラーとフォーマット形式の設定が一致すれば同じ送信条件の組み合わせとして扱うこととなり、例えば、図２に示した宛先Ａの場合、カラーがフルカラー、フォーマット形式がＰＤＦの組み合わせでは、解像度が６００ｄｐｉが５２回、２００ｄｐｉが２０回、４００ｄｐｉが３回であるので、図７では、合計の７５回となっている。
【００４１】
この図７の送信履歴情報を宛先Ａについて、フォーマット形式優先でランク付けすると、図８に示すようなランク付けの送信条件組み合わせとなる。なお、図８では、解像度が除外されているので、選択肢が少なくなっている。
【００４２】
したがって、例えば、ユーザが解像度だけは毎回自分で設定したい場合は、解像度をランク付け送信条件選択設定で、送信条件の組み合わせ候補から除外する設定にし、より少ない選択肢からその他の送信条件セットを適切に選択できるようにすることができる。
【００４３】
また、上記例では、宛先が１つのみの場合について説明したが、宛先は、１つであるとは限らず、例えば、図２の宛先Ａと宛先Ｂの２つの宛先を同報通信（同報送信）の宛先としている場合、図３のステップＳ１０２及びステップＳ１０３で送信履歴情報を参照してランク付けを行う場合、図９に示すように、宛先Ａと宛先Ｂの送信履歴情報をそれぞれの送信条件について加算（総合）し、加算結果の送信履歴情報に基づいてランク付けして操作表示部１０のディスプレイに提示する。すなわち、同報送信の場合、同報送信の宛先の送信履歴情報のうち、同じ送信条件の組み合わせについては、送信回数を加算してランク付けを行う。例えば、図９の場合、カラーがフルカラー、解像度が２００ｄｐｉ、フォーマット形式がＴＩＦＦの送信条件の組み合わせでは、宛先Ａに対しての回数は１０１回、宛先Ｂに対しての回数は３回であるので、加算して、合計１０４回が送信回数となっている。
【００４４】
さらに、同報送信の場合、図９では、送信回数のみに基づいて送信履歴情報をランク付けした場合について示しているが、上記宛先が１つの場合にも示したように、送信条件についてもフルカラー、解像度等をランク付けの要素として加え、例えば、図１０に示すように、送信条件の１つとして、例えば、フォーマット形式を加えてランク付けしてもよい。なお、図１０は、送信履歴情報から、同報送信の宛先Ａと宛先Ｂに対してフォーマット形式と送信回数を優先させてランク付けした場合を示しており、フォーマット形式のうち、ＴＩＦＦは１０４回と３１回を加算した合計１３５回、ＰＤＦは５４回と２１回と３回を加算した合計７８回であり、ＴＩＦＦの方が過去に送信した回数が多いため、ＴＩＦＦをＰＤＦよりも上位にランク付けしている。そして、図１０においても、図５の場合と同様に、同じフォーマット形式の設定で異なる送信条件の組み合わせのランク付けは、送信回数の多いものから上位にランク付けしている。
【００４５】
このように、本実施例の複合装置ＭＦは、宛先毎に少なくとも該宛先への複数の送信条件の組み合わせを送信履歴情報として取得して、取得した該送信条件の組み合わせ毎の送信回数を宛先毎に分類して送信履歴情報として送信履歴保存部１１に保管し、データ送信に際して送信宛先が決定されると、送信履歴保存部１１の該宛先の送信履歴情報から該送信回数を優先させた送信条件の組み合わせを所定数選択して、選択した送信条件組み合わせを操作表示部１０のディスプレイに表示して提示している。
【００４６】
したがって、ユーザの過去のデータ送信条件の組み合わせに適した送信条件の組み合わせをランク付けして提示することができ、送信条件の組み合わせの選択を速やかにかつ容易に行えるようにして、送信条件の設定操作を省力化することができる。
【００４７】
また、本実施例の複合装置ＭＦは、過去の送信回数によってランク付けして送信条件の組み合わせを表示している。
【００４８】
したがって、ユーザの所望する送信設定（送信条件の組み合わせ）を速やかに見つけて選択することができ、より一層送信条件の設定操作を省力化することができる。
【００４９】
さらに、本実施例の複合装置ＭＦは、送信条件の組み合わせの選択において優先させる送信条件が指定されると、該指定された送信条件と送信回数を優先させて送信条件の組み合わせを選択している。
【００５０】
したがって、ユーザの意図する送信条件の組み合わせをより一層的確かつ速やかに見つけることができ、より一層利用性を向上させることができる。
【００５１】
また、本実施例の複合装置ＭＦは、送信条件の組み合わせの選択において除外する送信条件が指定されると、該除外指定された送信条件を除外して送信条件の組み合わせを選択している。
【００５２】
したがって、ユーザの意図する送信条件の組み合わせをより一層的確かつ速やかに見つけることができ、より一層利用性を向上させることができる。
【００５３】
また、本実施例の複合装置ＭＦは、送信履歴保存部１１の送信履歴情報のうち、同報送信における該複数の宛先の送信履歴情報を総合した総合送信履歴情報を生成し、生成した該総合送信履歴情報から送信条件の組み合わせを選択している。
【００５４】
したがって、複数の相手に同時に同じデータを送信する同報送信においては、該同報送信で過去に利用した送信条件の組み合わせを適切かつ速やかに見つけることができ、同報送信の送信条件の設定を省力化することができる。
【実施例２】
【００５５】
図１１〜図１４は、本発明のデータ送信装置、データ送信制御方法、データ送信制御プログラム及び記録媒体の第２実施例を示す図であり、図１１は、本発明のデータ送信装置、データ送信制御方法、データ送信制御プログラム及び記録媒体の第２実施例を適用したデータ送信システム２０のシステム構成図である。
【００５６】
データ送信システム２０は、ＬＡＮ（Local Area Network）等のネットワークＮＷに複数（図１１では、２台）の複合装置ＭＦａ、ＭＦｂが接続されており、複合装置ＭＦａ、ＭＦｂは、上記第１実施例の複合装置ＭＦと同様の構成を有している。
【００５７】
なお、本実施例は、上記第１実施例の複合装置ＭＦと同様の複合装置ＭＡａ、ＭＦｂを２台をネットワークＮＷで接続した場合に適用したものであり、本実施例の説明においては、必要に応じて、第１実施例の説明で用いた符号をそのまま用いて説明する。
【００５８】
本実施例のデータ送信システム２０は、第１実施例の複合装置ＭＦと同様の複数台（図１１では、２台）の複合装置ＭＦａ、ＭＦｂがネットワークＮＷに接続されており、これらの複合装置ＭＦａ、ＭＦｂがそれぞれ送信履歴保存部１１に自己の送信履歴情報を保存しているとともに、他の複合装置ＭＦａ、ＭＦｂの送信履歴情報を受信してマージ（統合）して、送信条件組み合わせの提供に利用する。
【００５９】
すなわち、複合装置ＭＦａは、その送信履歴保存部１１に、例えば、図１２（ａ）に示すような送信履歴情報を保存しており、複合装置ＭＦｂは、その送信履歴保存部１１に、例えば、図１２（ｂ）に示すような送信履歴情報を保存している。なお、以下の説明では、複合装置ＭＦａが送信処理を行う場合について説明するが、複合装置ＭＦｂが送信処理を行う場合にも同様に適用することができる。
【００６０】
この状態で、複合装置ＭＦａは、図１３に示すように、認証部６でユーザ認証が行われた後、操作表示部１０で、データ送信が選択されて、宛先が設定されると（ステップＳ２０１）、システム制御部４は、自機の送信履歴保存部１１に保存されている該ユーザの送信履歴情報を参照し（ステップＳ２０２）、また、ネットワークＮＷに接続されている他の複合装置ＭＦｂに対して、該複合装置ＭＦｂの送信履歴保存部１１に保存されている該宛先に対する送信履歴情報を要求して、該複合装置ＭＦｂから該宛先についての該複合装置ＭＦｂの送信履歴情報を取得して参照する（ステップＳ２０３）。
【００６１】
複合装置ＭＦａのシステム制御部４は、送信宛先に関する自機の送信履歴情報と他の複合装置ＭＦｂから取得した該送信宛先に関する送信履歴情報とをマージ（統合）して、予め設定されている優先パラメータに基づいて、該マージした送信履歴情報のランク付けを行って、所定数の送信条件の組み合わせを、操作表示部１０のディスプレイに表示する（ステップＳ２０４）。
【００６２】
すなわち、複合装置ＭＦａのシステム制御部４は、指定された送信宛先が、例えば、宛先Ａのとき、自機の宛先Ａの送信履歴情報と他の複合装置ＭＦｂの送信履歴情報のうち、両方の複合装置ＭＦａ、ＭＦｂの備えている機能の送信条件について、それぞれ送信条件の組み合わせ毎に送信回数を加算するマージ処理を行う。例えば、図１２（ａ）のカラーがグレースケール、解像度が２００ｄｐｉ、フォーマット形式がＴＩＦＦの送信条件については、送信回数が３１回と５回であるので、合計３６回となり、カラーがフルカラー、解像度が２００ｄｐｉ、フォーマット形式がＰＤＦの送信条件については、２０回と８回であるので、２８回となり、カラーがフルカラー、解像度が６００ｄｐｉ、フォーマット形式がＰＤＦの送信条件については、５２回と１回であるので、５３回となる。
【００６３】
システム制御部４は、送信条件の表示を行うと、優先パラメータの変更が行われたかチェックし（ステップＳ２０５）、優先パラメータの変更が操作表示部１０の操作で行われると、該変更後の優先パラメータに基づいて該宛先に関する送信履歴情報をランク付けして、該ランク付けに基づいて選択した送信条件の組み合わせを操作表示部１０のディスプレイに再度表示して、優先パラメータの変更の有無をチェックする処理を繰り返し行う（ステップＳ２０５、Ｓ２０６）。例えば、図１４で示したランク付けでは、ユーザの意図する送信条件組み合わせが表示されないときには、操作表示部１０で優先パラメータを追加または設定変更等が行われ、例えば、解像度が優先パラメータとして追加されると、図１４に示すように、解像度と送信回数を優先パラメータとして多い順にランク付けして、いま、２００ｄｐｉの送信回数が、３６回と２８回で合計６４回となり、６００ｄｐｉの送信回数の５３回を上回っているため、２００ｄｐｉの解像度の送信条件組み合わせを操作表示部１０のディスプレイに上位複数の送信条件組み合わせを選択して表示する。
【００６４】
そして、ステップＳ２０５で、優先パラメータの変更が操作されないときには、システム制御部４は、提示した送信条件の組み合わせから操作表示部１０で選択された送信条件の組み合わせを取得して（ステップＳ２０７)、送信条件組み合わせとして、セットして送信処理を実行する（ステップＳ２０８）。
【００６５】
このように、本実施例の複合装置ＭＦａ、ＭＦｂは、送信履歴情報を送信履歴保存部１１に保管する他のデータ送信装置である複合装置ＭＦａ、ＭＦｂと通信して、該他の複合装置ＭＦａ、ＭＦｂの送信履歴保存部１１から該送信履歴情報を取得し、取得した該送信履歴情報を送信履歴保存部１１の送信履歴情報と統合して統合送信履歴情報を生成し、生成した該統合送信履歴情報から送信条件の組み合わせを選択している。
【００６６】
したがって、ユーザが利用するより多くの送信履歴情報に基づいてランク付けして送信条件の組み合わせを提示することができ、より一層適切な送信条件の組み合わせを提示して利用性をより一層向上させることができる。
【００６７】
なお、上記説明では、ネットワークＮＷ上の複数の複合装置ＭＦａ、ＭＦｂが他の複合装置ＭＦａ、ＭＦｂを参照するタイミングとして、送信要求があったタイミングに行っているが、参照タイミングとしては、上記タイミングに限るものではなく、例えば、所定の時間間隔毎にそれぞれの複合装置ＭＦａ、ＭＦｂが送信履歴情報を交換して、予めマージするようにしてもよい。
【００６８】
このようにすると、送信時の処理として、他の複合装置ＭＦａ、ＭＦｂの送信履歴情報を参照してマージする時間を省略することができ、処理時間を短縮することができる。
【実施例３】
【００６９】
図１５〜図２０は、本発明の本発明のデータ送信装置、データ送信制御方法、データ送信制御プログラム及び記録媒体の第３実施例を示す図であり、図１５は、本発明のデータ送信装置、データ送信制御方法、データ送信制御プログラム及び記録媒体の第３実施例を適用した複合装置による送信履歴情報書き出し処理を示すフローチャート、図１６は、送信履歴情報読み込み処理を示すフローチャートである。
【００７０】
なお、本実施例は、第１実施例の複合装置ＭＦと同様の複合装置に適用したものであり、本実施例の説明においては、必要に応じて第１実施例で用いた符号をそのまま用いて説明する。
【００７１】
本実施例の複合装置ＭＦは、送信履歴保存部１１に、例えば、図２に示したように、宛先毎にその送信条件の組み合わせと送信回数を対応させた送信履歴情報を、各ユーザ毎に記憶しており、操作表示部１０の操作によって送信履歴情報の書き出しが指示操作されると（ステップＳ３０１）、システム制御部４は、送信履歴保存部１１に保存されている自機の送信履歴情報を参照して（ステップＳ３０２）、外部メディアに書き出しを行う（ステップＳ３０３）。
【００７２】
この外部メディアは、例えば、図示しない記録媒体Ｉ／Ｆ等に接続される可搬性の記録メディアであり、例えば、スマートメディア、 ＤＶＤ（Digital Video Disk）、ＣＤ−Ｒ（Compact Disc Recordable ）、ＣＤ−ＲＷ（Compact Disc Rewritable ）、コンパクトフラッシュ（ＣＦ：登録商標）、マルチメディアカード（ＭＭＣ）、ＳＤカード（Secure Digital：ＳＤ）、メモリスティック（Memory Stick：ＭＳ）、ＵＳＢ（Universal Serial Bus）メモリ等である。
【００７３】
そして、このようにして外部メディアに書き出された送信履歴情報は、他の複合装置ＭＦで利用することができる。
【００７４】
すなわち、上述のようにして送信履歴情報の書き込まれた外部メディアを、他の複合装置ＭＦの記録媒体Ｉ／Ｆ等に接続して、図１６に示すように、操作表示部１０の操作によって送信履歴情報の読み込み指示があると（ステップＳ４０１）、システム制御部４は、記録媒体Ｉ／Ｆ等に接続されている外部メディアから該外部メディアに記録されている送信履歴情報を読み込む（ステップＳ４０２）。システム制御部４は、外部メディアから読み込んだ送信履歴情報と送信履歴保存部１１に記録されている自機の送信履歴情報をマージして、マージした送信履歴情報を送信履歴保存部１１にマージ送信履歴情報として、または、自機の送信履歴情報として記録する（ステップＳ４０３）。
【００７５】
例えば、いま、図１５の送信履歴情報書き出し処理で外部メディアに書き出した複合装置ＭＦの送信履歴情報が、例えば、図１７（ａ）に示すような送信履歴情報であり、図１６の送信履歴読情報み込み処理で送信履歴情報の読み込みを行う複合装置ＭＦの送信履歴情報が、例えば、図１７（ｂ）に示すような送信履歴情報である場合、送信履歴情報の読み込みを行った複合装置ＭＦのシステム制御部４は、図１７（ａ）の送信履歴情報と図１７（ｂ）の送信履歴情報をマージして、図１８に示すように、送信条件組み合わせ毎に送信回数を加算したマージ送信履歴情報を作成する。
【００７６】
このマージ送信履歴情報の作成においては、読み込み側の複合装置ＭＦが、書き出し側の複合装置ＭＦの備えていない機能を備えている場合、例えば、図１７（ｂ）に示すように、読み込み側の複合装置ＭＦが、書き出し側の複合装置ＭＦの備えていない機能ｘｘｘを備えていて、この機能ｘｘｘについても送信条件として送信履歴情報に記録されていても、読み込み側複合装置ＭＦのシステム制御部４は、両方の送信履歴情報のマージにおいては、図１８に示したように、双方の複合装置ＭＦの備えている機能についての送信履歴情報のみを送信条件組み合わせとしたマージ送信履歴情報を作成する。
【００７７】
すなわち、図１９に示すように、読み込み側の複合装置ＭＦは、他の複合装置ＭＦの送信履歴情報を読み込んで参照すると（ステップＳ５０１）、自機に搭載されていない機能が該読み込んだ送信履歴情報に含まれているかチェックし（ステップＳ５０２）、含まれていないときには、そのまま送信履歴情報をマージして、マージした送信履歴情報を作成する（ステップＳ５０３）。
【００７８】
ステップＳ５０２で、自機に搭載されていない機能が読み込んだ送信履歴情報に含まれているときには、システム制御部４は、ユーザに対して、所定の警告、例えば、図２０に示すように、「このマシンに搭載されていない機能が必要かもしれません。確認してください。」等の警告メッセージとマージした送信履歴情報を操作表示部１０のディスプレイに表示した後（ステップＳ５０４）、送信履歴情報をマージして、マージした送信履歴情報を作成する（ステップＳ５０３）。
【００７９】
なお、上記説明では、読み込み側の複合装置ＭＦ、すなわち、他の複合装置ＭＦの送信履歴情報と自己の送信履歴情報をマージする場合に、他の複合装置ＭＦの送信履歴情報に自機の備えていない機能の送信条件が含まれている場合について説明したが、逆に、他の複合装置ＭＦの送信履歴情報に含まれていない送信条件を自己の送信履歴保存部１１に保存している自機の送信履歴情報に含まれている場合にも、上記同様に、処理することがでいる。
【００８０】
このように、本実施例の複合装置は、送信履歴保存部１１の送信履歴情報を外部メディアに書き出し、送信履歴情報の記録されている外部メディアから該送信履歴情報を読み込んで、該読み込んだ送信履歴情報と送信履歴保存部１１に保管されている送信履歴情報とを統合して統合送信履歴情報を生成し、該統合送信履歴情報から送信条件の組み合わせを選択している。
【００８１】
したがって、複合装置がネットワーク等で接続されていない場合にも、ユーザが利用するより多くの送信履歴情報に基づいてランク付けして送信条件の組み合わせを提示することができ、より一層適切な送信条件の組み合わせを提示して利用性をより一層向上させることができる。
【００８２】
また、実施例２および実施例３の統合送信履歴情報の作成においては、取得した送信履歴情報または読み込んだ送信履歴情報に、自装置の備えていない機能の設定が該送信条件に含まれていると、該送信条件を除外した送信条件のみを組み合わせた送信条件の組み合わせからなる統合送信履歴情報を生成している。
【００８３】
したがって、備えていない機能を設定した送信条件を選択指定とする送信条件とは異なる送信条件で送信されてしまうことを未然に防止することができ、利用性を向上させることができる。
【００８４】
さらに、この場合、取得した送信履歴情報または読み込んだ送信履歴情報に、自装置の備えていない機能の設定を送信条件に含んでいると、その旨を所定の操作表示部１０のディスプレイに表示したり、音声出力することとによって、報知出力している。
【００８５】
したがって、他の複合装置では備わっていた機能が本複合装置には備わっていない場合に、ユーザに送信履歴情報がマージされる際にその旨を通知して認識させることができ、利用性、操作の安全性を向上させることができる。
【００８６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００８７】
本発明は、画像データ等のデータを送信する際の操作の便宜性を向上させたスキャナ装置、ファクシミリ装置、複合装置、コンピュータ等のデータ送信装置、データ送信制御方法、データ送信制御プログラム及び記録媒体に利用することができる。
【図面の簡単な説明】
【００８８】
【図１】本発明の第１実施例を適用した複合装置の要部ブロック構成図。
【図２】図１の送信履歴保存部に保存される送信履歴情報の一例を示す図。
【図３】送信制御処理を示すフローチャート。
【図４】図２の送信履歴情報を宛先Ａについて送信回数のみを優先パラメータとしてランク付けした状態を示す図。
【図５】図２の送信履歴情報を宛先Ａについて解像度と送信回数を優先パラメータとしてランク付けした状態を示す図。
【図６】送信履歴情報ランク付けの条件への組み込みの有無の設定の一例を示す図。
【図７】図６のランク付け送信条件選択設定のときの図２の送信履歴情報を示す図。
【図８】図７の送信履歴情報の宛先Ａについてフォーマット形式優先でランク付けした状態を示す図。
【図９】図２の宛先Ａと宛先Ｂに同報送信する場合の送信履歴情報を送信回数のみでランク付けした状態を示す図。
【図１０】図２の宛先Ａと宛先Ｂに同報送信する場合の送信履歴情報をフォーマット形式と送信回数でランク付けした状態を示す図。
【図１１】本発明の第２実施例を適用したデータ送信システムのシステム構成図。
【図１２】図１１の２つの複合装置のそれぞれの送信履歴情報の一例を示す図。
【図１３】第２実施例の複合装置による送信制御処理を示すフローチャート。
【図１４】図１２の２つの複合装置の送信履歴情報を宛先Ａについてマージした状態を示す図。
【図１５】本発明の第３実施例を適用した複合装置による送信履歴情報書き出し処理を示すフローチャート。
【図１６】本発明の第３実施例を適用した複合装置による送信履歴情報読み込み・マージ処理を示すフローチャート。
【図１７】図１５及び図１６の送信履歴情報書き出し処理及び読み込み処理で書き出される送信履歴情報と読み込まれる側の複合装置の送信履歴情報の一例を示す図。
【図１８】図１７の送信履歴履歴がマージされた状態を示す図。
【図１９】マージ送信履歴情報作成処理を示すフローチャート。
【図２０】図１９のマージ送信履歴情報作成処理での警告メッセージの一例を示す図。
【符号の説明】
【００８９】
ＭＦ  複合装置
１  スキャナ部
２  プロッタ部
３  符号化・復号化部
４  システム制御部
５  ネットワーク制御部
６  認証部
７  網制御部
８  モデム
９  画像蓄積部
１０  操作表示部
１１  送信履歴保存部
１２  バス
２０  データ送信システム
ＮＷ  ネットワーク
ＭＦａ、ＭＦｂ  複合装置
【図１】
2010011007.tif 000003
【図２】
2010011007.tif 000004
【図３】
2010011007.tif 000005
【図４】
2010011007.tif 000006
【図５】
2010011007.tif 000007
【図６】
2010011007.tif 000008
【図７】
2010011007.tif 000009
【図８】
2010011007.tif 000010
【図９】
2010011007.tif 000011
【図１０】
2010011007.tif 000012
【図１１】
2010011007.tif 000013
【図１２】
2010011007.tif 000014
【図１３】
2010011007.tif 000015
【図１４】
2010011007.tif 000016
【図１５】
2010011007.tif 000017
【図１６】
2010011007.tif 000018
【図１７】
2010011007.tif 000019
【図１８】
2010011007.tif 000020
【図１９】
2010011007.tif 000021
【図２０】
2010011007.tif 000022